【手続補正書】
【提出日】平成24年4月9日(2012.4.9)
【手続補正１】
【補正対象書類名】特許請求の範囲
【補正対象項目名】全文
【補正方法】変更
【補正の内容】
【特許請求の範囲】
【請求項１】
周辺機器及び前記周辺機器を制御するドライバソフトウェアをセットアップソフトウェアによりセットアップする情報処理装置を含むシステムにおける管理方法であって、
ドライバソフトウェアで制御される周辺機器のインターネットプロトコルアドレスを含む属性情報がファイル名として付加されている、電子署名が施されたセットアップソフトウェアを前記情報処理装置にダウンロードするダウンロード工程と、
前記情報処理装置において、前記ダウンロード工程でダウンロードされた前記セットアップソフトウェアを用いて前記ドライバソフトウェアをインストールする場合に、前記セットアップソフトウェアのファイル名から前記周辺機器の属性情報を抽出して、該抽出された属性情報を用いることで前記セットアップソフトウェアによるドライバソフトウェアをセットアップするセットアップ工程とを有することを特徴とする管理方法。
【請求項２】
周辺機器及び前記周辺機器を制御するドライバソフトウェアをセットアップソフトウェアによりセットアップする情報処理装置を含むシステムであって、
ドライバソフトウェアで制御される周辺機器のインターネットプロトコルアドレスを含む属性情報がファイル名として付加されている、電子署名が施されたセットアップソフトウェアを前記情報処理装置にダウンロードするダウンロード手段と、
前記情報処理装置において、前記ダウンロード手段によりダウンロードされた前記セットアップソフトウェアを用いて前記ドライバソフトウェアをインストールする場合に、前記セットアップソフトウェアのファイル名から前記周辺機器の属性情報を抽出して、該抽出された属性情報を用いることで前記セットアップソフトウェアによるドライバソフトウェアのセットアップを行うセットアップ手段とを有することを特徴とするシステム。
【請求項３】
前記属性情報には、さらに、少なくともインターネットプロトコルのバージョン情報と有効期限とのいずれかが含まれることを特徴とする請求項２に記載のシステム。
【請求項４】
前記セットアップ手段は、前記セットアップソフトウェアのファイル名から抽出された属性情報が利用可能かを判断する判断手段を有し、
前記判断手段により、前記ファイル名から抽出された属性情報が利用可能と判断されたことに応じて、当該属性情報を用いることで前記セットアップソフトウェアによるドライバソフトウェアのセットアップを行うことを特徴とする請求項２または３に記載のシステム。
【請求項５】
前記属性情報には、前記周辺機器に設定されている複数のインターネットプロトコルアドレスが含まれ、
前記ダウンロード手段は、ファイル名として、前記属性情報に含まれる複数のインターネットプロトコルアドレスの何れかを用いるかを判別するための優先順位が付加されているセットアップソフトウェアを前記情報処理装置にダウンロードし、
前記セットアップ手段は、前記優先順位によりセットアップに用いるべきインターネットプロトコルアドレスを判別し、当該判別されたインターネットプロトコルアドレスを用いることで前記セットアップソフトウェアによるドライバソフトウェアのセットアップを行うことを特徴とする請求項２乃至４のいずれか１項に記載のシステム。
【請求項６】
前記属性情報には、さらに、前記セットアップソフトウェアによるセットアップが失敗した旨の報知を行う対象となる装置のメールアドレスが含まれ、
前記セットアップ手段によるセットアップが失敗した場合に、失敗した旨を前記属性情報に含まれるメールアドレスを宛先としてメールで報知する報知手段を有することを特徴とする請求項２乃至５のいずれか１項に記載のシステム。
【請求項７】
前記セットアップ手段によるセットアップが失敗した場合に、失敗した旨を前記情報処理装置において表示する、またはメールを用いて外部の装置に送信することで報知する報知手段を有することを特徴とする請求項２乃至５のいずれか１項に記載のシステム。
【請求項８】
前記属性情報には、さらに、前記周辺機器の動作プロトコルが含まれることを特徴とする請求項２乃至７のいずれか１項に記載のシステム。
【請求項９】
前記周辺機器は印刷機能を有する機器であって、前記動作プロトコルは印刷プロトコルであることを特徴とする請求項８に記載のシステム。
【請求項１０】
情報処理装置に自身を制御するドライバソフトウェアをセットアップするセットアップソフトウェアをダウンロードする周辺機器における管理方法であって、
電子署名が施されたセットアップソフトウェアのファイル名として、自身のインターネットプロトコルアドレスを含む属性情報を付加する付加工程と、
前記付加工程でファイル名として自身の属性情報が付加されたセットアップソフトウェアを外部の装置にダウンロードするダウンロード工程とを有し、
前記情報処理装置においては、セットアップソフトウェアのファイル名から抽出した前記周辺機器のインターネットプロトコルアドレスを含む属性情報を用いて、セットアップソフトウェアによるドライバソフトウェアのセットアップが行われることを特徴とする管理方法。
【請求項１１】
情報処理装置に自身を制御するドライバソフトウェアをセットアップするセットアップソフトウェアをダウンロードする周辺機器であって、
電子署名が施されたセットアップソフトウェアのファイル名として、自身のインターネットプロトコルアドレスを含む属性情報を付加する付加手段と、
前記付加手段によりファイル名として自身の属性情報が付加されたセットアップソフトウェアを外部の装置にダウンロードするダウンロード手段とを有し、
前記情報処理装置においては、セットアップソフトウェアのファイル名から抽出した前記周辺機器のインターネットプロトコルアドレスを含む属性情報を用いて、セットアップソフトウェアによるドライバソフトウェアのセットアップが行われることを特徴とする周辺機器。
【請求項１２】
前記付加手段は、前記セットアップソフトウェアのファイル名として、さらに、少なくともインターネットプロトコルのバージョン情報と有効期限とのいずれかを含む属性情報を付加することを特徴とする請求項１１に記載の周辺機器。
【請求項１３】
前記付加手段は、前記セットアップソフトウェアのファイル名として、前記周辺機器に設定されている複数のインターネットプロトコルアドレスを含む属性情報を付加し、
前記情報処理装置においては、優先順位に従って、前記属性情報に含まれる複数のインターネットプロトコルアドレスの中からセットアップに用いるべきインターネットプロトコルアドレスを判別し、当該判別されたインターネットプロトコルアドレスを用いることで前記セットアップソフトウェアによるドライバソフトウェアのセットアップを行われることを特徴とする請求項１１または１２に記載の周辺機器。
【請求項１４】
前記付加手段は、前記セットアップソフトウェアのファイル名として、さらに、前記セットアップソフトウェアによるセットアップが失敗した旨の報知を行う対象となる装置のメールアドレスを付加し、
前記情報処理装置においてセットアップが失敗した場合に、失敗した旨を前記属性情報に含まれるメールアドレスを宛先としてメールで報知されることを特徴とする請求項１１乃至１３のいずれか１項に記載の周辺機器。
【請求項１５】
請求項１１乃至１４のいずれか１項に記載された手段としてコンピュータを機能させるためのプログラム。